(57)【要約】【課題】スマートフォンを半二重通信方式で動作するトランシーバとして機能させたときに、送信状態と受信状態とを操作性よく切り替えることができるスマートフォン用ケースを提供する。【解決手段】スマートフォン用ケース２０１は、データを全二重通信方式で送受信するように構成されているスマートフォン１００に装着されて使用される。送受切替スイッチ２０は、スマートフォン１００を半二重通信方式で動作させるアプリケーション（トランシーバアプリケーションＡＰ１）が実行されているとき、スマートフォン１００を送信状態と受信状態とのいずれかに選択的に切り替える。信号出力部である通信部２１は、送受切替スイッチ２０からの信号をスマートフォン１００へと出力する。【選択図】図１
2015226118.tif 000002
【特許請求の範囲】
【請求項１】
データを全二重通信方式で送受信するように構成されているスマートフォンに装着されて使用されるスマートフォン用ケースであり、
前記スマートフォンを半二重通信方式で動作させるアプリケーションが実行されているとき、前記スマートフォンを送信状態と受信状態とのいずれかに選択的に切り替えるための送受切替スイッチと、
前記送受切替スイッチからの信号を前記スマートフォンへと出力する信号出力部と、
を備えることを特徴とするスマートフォン用ケース。
【請求項２】
前記送受切替スイッチは、前記スマートフォンの表示部が設けられている面を正面としたときの側面側に配置されていることを特徴とする請求項１に記載のスマートフォン用ケース。
【請求項３】
前記信号出力部は、前記スマートフォンが備える第１の通信部が前記送受切替スイッチからの信号を受信するよう、前記送受切替スイッチからの信号を無線にて送信する第２の通信部であることを特徴とする請求項１または２に記載のスマートフォン用ケース。
【請求項４】
前記信号出力部は、
前記送受切替スイッチからの信号を有線にて送信する信号線と、
前記信号線に接続され、前記スマートフォンが備える入力端子と接続されるコネクタと、
を有して構成されていることを特徴とする請求項１または２に記載のスマートフォン用ケース。
【請求項５】
基地局と無線にてデータを全二重通信方式で送受信するように構成されているスマートフォンであり、
前記スマートフォンを半二重通信方式で動作させるアプリケーションを記憶する記憶部と、
前記スマートフォンに装着されたケースに設けられ、送信と受信とを切り替える送受切替スイッチが操作されたとき、前記送受切替スイッチからの信号を入力する信号入力部と、
前記アプリケーションが実行されているとき、前記信号入力部への信号の入力の状態に基づいて、前記送受切替スイッチが前記スマートフォンを送信状態にすることを示す場合には、前記スマートフォンにおけるデータの受信機能を不動作とし、データの送信機能のみを動作させるよう制御し、前記送受切替スイッチが前記スマートフォンを受信状態にすることを示す場合には、前記スマートフォンにおけるデータの送信機能を不動作とし、データの受信機能のみを動作させるよう制御する制御部と、
を備えることを特徴とするスマートフォン。
【請求項６】
請求項１〜４いずれか１項に記載のスマートフォン用ケースを備えることを特徴とする請求項５に記載のスマートフォン。
【発明の詳細な説明】
【技術分野】
【０００１】
本発明は、スマートフォン用ケース及びスマートフォンに関する。
【背景技術】
【０００２】
高性能のコンピュータとタッチパネルとを搭載したスマートフォンと称される携帯電話が普及している。スマートフォンは、各種のアプリケーション（ソフトウェア）が予め記憶されているだけでなく、アプリケーションをダウンロードすることによって、アプリケーションを追加することができる。
【先行技術文献】
【特許文献】
【０００３】
【特許文献１】特開２００８−１０４１１６号公報
【発明の概要】
【発明が解決しようとする課題】
【０００４】
スマートフォンは、基地局と無線にて、音声データ等のデータを全二重通信方式で送受信するように構成され、基地局及び交換局を介して他局と通信を行う。スマートフォンにおける送信機能と受信機能とを択一的に機能させるようにすれば、スマートフォンは、あたかも、半二重通信方式で動作するトランシーバとして機能することになる。
【０００５】
一般的なトランシーバは、トランシーバを送信状態と受信状態とに切り替えるためのＰＴＴ（Push To Talk）スイッチを備える。スマートフォンをトランシーバとして機能させたとすると、表示部（タッチパネル）の画面にＰＴＴスイッチの代用となる操作スイッチを設けて、操作スイッチをタッチパネルで操作することが考えられる。
【０００６】
しかしながら、画面に設けた操作スイッチをタッチパネルで操作する操作方法では誤操作の可能性があり、ＰＴＴスイッチによる機械的な操作に慣れているユーザにとって操作性はよくない。
【０００７】
本発明は、本発明は、スマートフォンを半二重通信方式で動作するトランシーバとして機能させたときに、送信状態と受信状態とを操作性よく切り替えることができるスマートフォン用ケースを提供することを目的とする。また、本発明は、半二重通信方式で動作するトランシーバとして機能させることができ、送信状態と受信状態とを操作性よく切り替えることができるスマートフォンを提供することを目的とする。
【課題を解決するための手段】
【０００８】
本発明は、上述した従来の技術の課題を解決するため、データを全二重通信方式で送受信するように構成されているスマートフォンに装着されて使用されるスマートフォン用ケースであり、前記スマートフォンを半二重通信方式で動作させるアプリケーションが実行されているとき、前記スマートフォンを送信状態と受信状態とのいずれかに選択的に切り替えるための送受切替スイッチと、前記送受切替スイッチからの信号を前記スマートフォンへと出力する信号出力部とを備えることを特徴とするスマートフォン用ケースを提供する。
【０００９】
また、本発明は、上述した従来の技術の課題を解決するため、基地局と無線にてデータを全二重通信方式で送受信するように構成されているスマートフォンであり、前記スマートフォンを半二重通信方式で動作させるアプリケーションを記憶する記憶部と、前記スマートフォンに装着されたケースに設けられ、送信と受信とを切り替える送受切替スイッチが操作されたとき、前記送受切替スイッチからの信号を入力する信号入力部と、前記アプリケーションが実行されているとき、前記信号入力部への信号の入力の状態に基づいて、前記送受切替スイッチが前記スマートフォンを送信状態にすることを示す場合には、前記スマートフォンにおけるデータの受信機能を不動作とし、データの送信機能のみを動作させるよう制御し、前記送受切替スイッチが前記スマートフォンを受信状態にすることを示す場合には、前記スマートフォンにおけるデータの送信機能を不動作とし、データの受信機能のみを動作させるよう制御する制御部とを備えることを特徴とするスマートフォンを提供する。
【発明の効果】
【００１０】
本発明のスマートフォン用ケースによれば、スマートフォンを半二重通信方式で動作するトランシーバとして機能させたときに、送信状態と受信状態とを操作性よく切り替えることができる。本発明のスマートフォンによれば、半二重通信方式で動作するトランシーバとして機能させることができ、送信状態と受信状態とを操作性よく切り替えることができる。
【図面の簡単な説明】
【００１１】
【図１】第１実施形態のスマートフォン用ケース及びスマートフォンの内部構成を示すブロック図である。
【図２】第１及び第２実施形態のスマートフォンを示す外観斜視図である。
【図３】第１実施形態のスマートフォン用ケースを示す外観斜視図である。
【図４】第１実施形態のスマートフォン用ケース及びスマートフォンを示す外観斜視図である。
【図５】第２実施形態のスマートフォン用ケース及びスマートフォンの内部構成を示すブロック図である。
【図６】第２実施形態のスマートフォン用ケースを示す外観斜視図である。
【図７】第２実施形態のスマートフォン用ケース及びスマートフォンを示す外観斜視図である。
【発明を実施するための形態】
【００１２】
以下、各実施形態のスマートフォン用ケース及びスマートフォンについて、添付図面を参照して説明する。
【００１３】
＜第１実施形態＞
図１は、第１実施形態のスマートフォン用ケース及びスマートフォンの内部構成を示している。図１に示すスマートフォン１００の外観は、例えば図２に示すように構成される。図１に示すスマートフォン用ケース２０１（以下、ケース２０１と略記することがある）の外観は、例えば図３に示すように構成される。
【００１４】
図２に示すように、スマートフォン１００は、タッチパネル１７と、受話用開口部Ｏｐ１と、操作ボタンＢｎ１〜Ｂｎ３と、入力端子Ｔｉｎとを備える。図３に示すように、ケース２０１は、側面に送受切替スイッチ２０を備える。送受切替スイッチ２０は機械的な押下が可能なスイッチであり、トランシーバにおけるＰＴＴスイッチに相当する。
【００１５】
図４に示すように、スマートフォン１００にはケース２０１が装着され、スマートフォン１００とケース２０１とは一体化されている。ケース２０１は、スマートフォン１００を保護する機能と、スマートフォン１００をトランシーバとして機能させたときに、スマートフォン１００を送信状態と受信状態とに選択的に切り替える機能とを果たす。
【００１６】
図１を用いて、スマートフォン１００の内部構成を説明する。制御部１０は、スマートフォン１００内の各部を制御する。制御部１０は、マイクロコンピュータで構成することができる。
【００１７】
送受信部１１は、アンテナ１２を介して、基地局３００と無線にてデータを送受信する。データとは、音声データ、メッセージデータ（電子メールデータ）、ウェブデータ等の任意のデータである。以下の説明では、簡略化のため、音声データの送受信に限定する。
【００１８】
送受信部１１は、送信部１１ｔ、受信部１１ｒ、マイクロフォン１３、音声信号処理部１４、スピーカ１５を有し、データを全二重通信方式で送受信するように構成されている。
【００１９】
スマートフォン１００が通話状態にあるとき、音声信号処理部１４は、マイクロフォン１３が集音した音声にＡ／Ｄ変換等の信号処理を施して所定形式の音声データとする。音声信号処理部１４より出力された音声データは、送受信部１１に供給される。送信部１１ｔは、入力された音声データを変調して基地局３００へと送信し、図示しない交換局を介して他局へ音声を送信する。
【００２０】
受信部１１ｒは、他局から送信された音声を交換局及び基地局３００を介して受信した音声データを復調する。復調された音声データは、音声信号処理部１４に供給される。音声信号処理部１４は、入力された音声データにＤ／Ａ変換等の信号処理を施す。音声信号処理部１４より出力された音声信号は、スピーカ１５より出力される。スピーカ１５より出力された音声は、受話用開口部Ｏｐ１よりスマートフォン１００の外部へと出力される。
【００２１】
表示部１６は例えば液晶パネルであり、制御部１０による制御に基づいて、各種の情報を表示する。タッチパネル１７は表示部１６上に装着されている。ユーザの指等がタッチパネル１７に触れると、接触を検出した検出信号が制御部１０へと入力される。
【００２２】
記憶部１８は、制御部１０がスマートフォン１００を動作させるためのＯＳ（オペレーションシステム）や各種のアプリケーション（ソフトウェア）を記憶している。記憶部１８は、スマートフォン１００をトランシーバとして動作させるためのトランシーバアプリケーションＡＰ１を記憶している。
【００２３】
記憶部１８は、トランシーバアプリケーションＡＰ１を予め記憶していてもよい。記憶部１８は、トランシーバアプリケーションＡＰ１をダウンロードすることによって、既存のアプリケーションにトランシーバアプリケーションＡＰ１を追加させてもよい。
【００２４】
トランシーバアプリケーションＡＰ１を実行させると、制御部１０は、送受切替スイッチ２０の状態に応じて送受信部１１における送信機能と受信機能とを選択的に機能させるようにして、スマートフォン１００を半二重通信方式で動作させるように構成されている。
【００２５】
通信部１９は、外部機器と近距離通信用の電波を送受信する通信部である。近距離通信は、例えばBLUETOOTH（登録商標）である。通信部１９は、無線ＬＡＮの電波を送受信する通信部であってもよいし、赤外線通信による通信部であってもよい。
【００２６】
次に、ケース２０１の内部構成を説明する。ケース２０１は、送受切替スイッチ２０と、通信部２１と、通信部２１を動作させるための電池２２とを有する。通信部２１及び電池２２は、図３では図示されていない。電池２２は、通信部２１に電力を供給する電源の一例である。
【００２７】
電池２２に代えて、環境発電技術（エナジーハーベスティング）により通信部２１を動作させてもよい。また、通信部２１は、電池が不要な技術である非接触で通信する技術規格ＮＦＣ（Near Field Communication）であってもよい。
【００２８】
送受切替スイッチ２０が押下されると、送受切替スイッチ２０は、スマートフォン１００を送信状態とするための送信指示信号を出力する。送信指示信号は、通信部２１へと入力される。通信部２１は、送信指示信号を通信部１９へと送信する。
【００２９】
通信部１９が送信指示信号を受信すると、通信部１９は送信指示信号を制御部１０へと供給する。トランシーバアプリケーションＡＰ１が実行されて、スマートフォン１００が半二重通信方式で動作しているとき、制御部１０は、送受信部１１におけるデータの受信機能を不動作とし、データの送信機能のみを動作させるよう送受信部１１を制御する。
【００３０】
送受切替スイッチ２０が押下されていない状態では、送受切替スイッチ２０は、送信指示信号を出力しない。通信部１９が送信指示信号を受信せず、制御部１０に送信指示信号が供給されない状態では、制御部１０は、送受信部１１におけるデータの送信機能を不動作とし、データの受信機能のみを動作させるよう送受信部１１を制御する。
【００３１】
送受切替スイッチ２０が押下されていないとき、送受切替スイッチ２０は、スマートフォン１００を受信状態とするための受信指示信号を出力してもよい。この場合、制御部１０に受信指示信号が供給されたら、制御部１０は、送受信部１１におけるデータの送信機能を不動作とし、データの受信機能のみを動作させるよう送受信部１１を制御すればよい。
【００３２】
送信機能とは、音声信号処理部１４が、マイクロフォン１３が集音した音声にＡ／Ｄ変換等の信号処理を施して所定形式の音声データとして送信部１１ｔに供給し、送信部１１ｔが音声データを変調して基地局３００へと送信する機能である。但し、受信部１１ｒは、基地局３００から送信される制御信号を適時に受信してもよい。
【００３３】
つまり、送信機能は、スマートフォン１００が、基地局３００及び交換局を介して他局へと音声を送っている状態とする機能である。
【００３４】
受信機能とは、受信部１１ｒが受信した音声データを復調し、音声信号処理部１４がＤ／Ａ変換等の信号処理を施して音声信号をスピーカ１５より出力させる機能である。但し、送信部１１ｔは、基地局３００に制御信号を適時に送信してもよい。
【００３５】
つまり、受信機能は、スマートフォン１００が、交換局及び基地局３００を介して他局から音声を受信している状態とする機能である。
【００３６】
送受切替スイッチ２０が押下されていない状態で、他局からスマートフォン１００へと送信する音声データがない場合には、送信機能と受信機能とのいずれも動作しない。但し、スマートフォン１００は、送受信部１１と基地局３００との制御信号の通信を随時行う。つまりスマートフォン１００は、他局からの信号を待ち受けている待ち受け状態である。
【００３７】
ケース２０１における通信部２１は、送受切替スイッチ２０からの信号を無線にてスマートフォン１００へと出力する信号出力部である。スマートフォン１００における通信部１９は、送受切替スイッチ２０からの信号であり、通信部２１が送信した信号を入力する信号入力部である。
【００３８】
このように、制御部１０は、トランシーバアプリケーションＡＰ１を実行させているとき、信号入力部（通信部２１）への信号の入力の状態に基づいて、送受信部１１を次のように制御する。
【００３９】
制御部１０は、送受切替スイッチ２０がスマートフォン１００を送信状態にすることを示す場合には、送受信部１１におけるデータの受信機能を不動作とし、データの送信機能のみを動作させるよう制御する。
【００４０】
制御部１０は、送受切替スイッチ２０がスマートフォン１００を受信状態にすることを示す場合には、送受信部１１におけるデータの送信機能を不動作とし、データの受信機能のみを動作させるよう制御する。
【００４１】
＜第２実施形態＞
図５は、第２実施形態のスマートフォン用ケース及びスマートフォンの内部構成を示している。図５において、図１〜図４と同一部分には同一符号を付し、その説明を省略することがある。
【００４２】
第２実施形態においては、スマートフォン１００における通信部１９の代わりに入力端子Ｔｉｎが使用される。図５に示すスマートフォン用ケース２０２（以下、ケース２０２と略記することがある）の外観は、例えば図６に示すように構成される。
【００４３】
図６に示すように、ケース２０２は、側面に送受切替スイッチ２０を備える。ケース２０２は、送受切替スイッチ２０からの信号を有線にて送信する信号線２３と、信号線２３に接続されたコネクタ２４とが設けられている。信号線２３は、ケース２０２の側面に沿うように固定されている。
【００４４】
図７に示すように、スマートフォン１００にはケース２０２が装着され、スマートフォン１００とケース２０２とは一体化されている。コネクタ２４は入力端子Ｔｉｎに嵌め込まれて、コネクタ２４と入力端子Ｔｉｎとが接続されている。
【００４５】
信号線２３は図６に示すようなケース２０２の側面に沿った配線に限らず、ケース２０２の内面に配線されてもよい。また、送受切替スイッチ２０と入力端子Ｔｉｎとが有線にて接続できればよいので、ケース２０２とコネクタ２４とが一体化されていてもよい。
【００４６】
図５において、送受切替スイッチ２０が押下されると、送受切替スイッチ２０は、スマートフォン１００を送信状態とするための送信指示信号を出力する。送信指示信号は、信号線２３及びコネクタ２４を介して入力端子Ｔｉｎへと入力される。入力端子Ｔｉｎに入力された送信指示信号は制御部１０へと供給される。
【００４７】
制御部１０に送信指示信号が入力されたときのスマートフォン１００動作は、第１実施形態と同様である。制御部１０に送信指示信号が入力されないときのスマートフォン１００動作も、第１実施形態と同様である。
【００４８】
第１実施形態と同様に、送受切替スイッチ２０が押下されていないとき、送受切替スイッチ２０は、スマートフォン１００を受信状態とするための受信指示信号を出力してもよい。この場合、受信指示信号は信号線２３及びコネクタ２４を介して入力端子Ｔｉｎへと入力され、入力端子Ｔｉｎに入力された受信指示信号は制御部１０へと供給される。
【００４９】
ケース２０２における信号線２３及びコネクタ２４は、送受切替スイッチ２０からの信号を有線にてスマートフォン１００へと出力する信号出力部である。入力端子Ｔｉｎは、送受切替スイッチ２０からの信号であり、コネクタ２４より出力された信号を入力する信号入力部である。
【００５０】
以上のように、第１及び第２実施形態のスマートフォン１００によれば、スマートフォン１００を半二重通信方式で動作するトランシーバとして機能させることができる。第１及び第２実施形態のスマートフォン１００によれば、スマートフォン用ケース２０１，２０２に設けた送受切替スイッチ２０による操作によって、送信状態と受信状態とを操作性よく切り替えることができる。
【００５１】
第１及び第２実施形態のスマートフォン用ケース２０１，２０２は、ＰＴＴスイッチに相当する送受切替スイッチ２０を備えている。よって、第１及び第２実施形態のスマートフォン用ケース２０１，２０２によれば、スマートフォン１００を半二重通信方式で動作するトランシーバとして機能させたときに、送信状態と受信状態とを操作性よく切り替えることができる。
【００５２】
第１及び第２実施形態においては、送受切替スイッチ２０はスマートフォン用ケース２０１，２０２の側面に設けられている。よって、送受切替スイッチ２０は、スマートフォン１００の側面側に配置されている。側面とは、スマートフォン１００の表示部１６（タッチパネル１７）が設けられている面を正面としたときの側面である。
【００５３】
送受切替スイッチ２０を設ける位置は特に限定されないが、操作性を考慮すると、送受切替スイッチ２０がスマートフォン１００の側面側に位置するように、送受切替スイッチ２０をスマートフォン用ケース２０１，２０２の側面に設けることが好ましい。
【００５４】
本発明は以上説明した第１，第２実施形態に限定されるものではなく、本発明の要旨を逸脱しない範囲において種々変更可能である。例えば、以下のような変更や発展が可能である。
【００５５】
ケース２０１における電池２２を、スマートフォン１００を動作させるための電池として用いてもよい。ケース２０２に電池を内蔵させ、スマートフォン１００を動作させてもよい。ケース２０１における電池２２やケース２０２に内蔵させた電池は、予備の電池であってもよい。
【００５６】
表示部１６をメインディスプレイとしたとき、ケース２０１，２０２にサブディスプレイを設けてもよい。ケース２０１，２０２に発光ダイオード（ＬＥＤ）を設けてもよい。ケース２０１，２０２にスピーカやマイクロフォンを設けてもよい。
【００５７】
送信機能が動作中、制御部１０は、表示部１６に半二重通信の送信状態を表す文字またはマーク等を表示させてもよい。送信機能が動作中、制御部１０は、タッチパネル１７からの入力を無効としてもよい。
【００５８】
また、受信機能が動作中、制御部１０は、表示部１６に受信状態を表す文字またはマーク等を表示させてもよい。受信機能が動作中、制御部１０は、タッチパネル１７からの入力を無効としてもよい。
【００５９】
スマートフォン１００は、大音量で音声を出力可能な大音量スピーカを搭載していてもよい。スマートフォン１００に大音量スピーカを外付けしてもよい。これらの場合、受信状態において、音声を大音量スピーカから出力させてもよい。
【符号の説明】
【００６０】
１６  表示部
１８  記憶部
１９  通信部（信号入力部）
１０  制御部
２０  送受切替スイッチ
２１  通信部（信号出力部）
２３  信号線（信号出力部）
２４  コネクタ（信号出力部）
１００  スマートフォン
２０１，２０２  スマートフォン用ケース
３００  基地局
ＡＰ１  トランシーバアプリケーション
Ｔｉｎ  入力端子（信号入力部）
【図１】
2015226118.tif 000003
【図２】
2015226118.tif 000004
【図３】
2015226118.tif 000005
【図４】
2015226118.tif 000006
【図５】
2015226118.tif 000007
【図６】
2015226118.tif 000008
【図７】
2015226118.tif 000009